【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】
複数のバーによって構成される所定の磁気パターンの検出磁気波形を積分して得られる１文字分の積分波形の有効領域を算出することによって、複数の前記バーの隣り合う２本のバーの間の距離に基づいて形成される前記積分波形の凹曲線の位置に基づいて、前記磁気パターンを所定の文字として認識する磁気パターン認識ステップを備えた磁気パターンの認識方法。
【請求項２】
前記磁気パターン認識ステップが、下記のステップを備えることを特徴とする請求項１に記載の磁気パターンの認識方法。
（ａ）微分波形からなる前記検出磁気波形を積分した前記積分波形を生成する積分波形生成ステップと、
（ｂ）前記積分波形生成ステップによって生成した前記積分波形の極小点と前記極小点を挟む２個の極大点とによって形成される前記凹曲線と、２個の前記極大点を結ぶ直線とからなる空間で表される谷を、「深い谷」または「浅い谷」の谷パターンに変換する谷パターン変換ステップと、
（ｃ）前記谷パターン変換ステップによって変換された前記谷パターンの中の「深い谷」の位置に基づいて、前記磁気パターンを識別する磁気パターン識別ステップ。
【請求項３】
前記磁気パターン識別ステップ（ｃ）が、前記谷パターンが「深い谷」である前記谷の数によって、前記磁気パターンを識別することを特徴とする請求項２に記載の磁気パターンの認識方法。
【請求項４】
前記磁気パターン識別ステップ（ｃ）が、下記のステップを備えることを特徴とする請求項２または３に記載の磁気パターンの認識方法。
（ｃ１）前記谷の位置を算出する谷位置算出ステップと、
（ｃ２）前記谷位置算出ステップによって算出した前記谷の位置から、前記積分波形の有効領域を算出する有効領域算出ステップと、
（ｃ３）前記谷位置算出ステップによって算出した前記谷の位置から、前記有効領域算出ステップによって算出された前記積分波形の有効領域における前記谷の相対位置を算出する谷相対位置算出ステップと、
（ｃ４）前記谷相対位置算出ステップによって算出した前記谷の相対位置から、前記磁気パターンを確定する磁気パターン確定ステップ。
【請求項５】
前記有効領域算出ステップ（ｃ２）が、下記のステップを備えることを特徴とする請求項４に記載の磁気パターンの認識方法。
（ｃ２１）前記積分波形の両端側の前記「深い谷」の深さと同一の値となる前記積分波形の最端部側位置を算出し、算出した前記最端部側位置を前記積分波形における有効領域の境界点検索開始位置とする境界点検索開始位置算出ステップと、
（ｃ２２）前記境界点検索開始位置算出ステップによって算出された前記有効領域の境界点検索開始位置から、前記積分波形の端部方向に前記積分波形における有効領域の前記境界点を検索する有効領域境界点検索ステップ。
【請求項６】
前記積分波形における有効領域の前記境界点が、下記の条件を全て満足する、前記境界点検索開始位置に最も近い点であることを特徴とする請求項５に記載の磁気パターンの認識方法。
（ｉ）前記境界点は、前記境界点検索開始位置算出ステップによって算出された前記境界点検索開始位置、または、前記境界点検索開始位置より前記積分波形の端部側位置に存在し、
（ｉｉ）前記境界点の波高方向の値が、前記境界点検索開始位置算出ステップによって算出された前記境界点検索開始位置の波高方向の値以下であり、
（ｉｉｉ）前記境界点の傾きの絶対値が、所定の値以下である。
【請求項７】
積分波形生成ステップ（ａ）が、下記のステップを備えることを特徴とする請求項２に記載の磁気パターンの認識方法。
（ａ１）前記検出磁気波形及び検出条件を取得する磁気パターン検出ステップと、
（ａ２）前記磁気パターン検出ステップ（ａ１）によって取得した前記検出磁気波形から１文字分の前記磁気パターンの検出磁気波形を切り出す磁気パターン切り出しステップ。
【請求項８】
前記磁気パターンを認識するための判定条件を変更できる判定条件変更ステップを更に備えることを特徴とする請求項１に記載の磁気パターンの認識方法。
【請求項９】
前記磁気パターンは、ＣＭＣ７フォントの磁気インク文字であることを特徴とする請求項１から８のいずれか１項に記載の磁気パターンの認識方法。
【請求項１０】
請求項１から９のいずれか１項に記載の磁気パターンの認識方法のステップを実現するプログラムを記録した情報記録媒体。
【請求項１１】
前記情報記録媒体は、コンパクト・ディスク、フロッピー・ディスク、ハード・ディスク、光磁気ディスク、ディジタル・ビデオ・ディスク、半導体メモリ、もしくは磁気テープであることを特徴とする請求項１０に記載のプログラムを記録した情報記録媒体。
【請求項１２】
複数のバーによって構成される所定の磁気パターンの検出磁気波形を積分して得られる１文字分の積分波形の有効領域を算出することによって、複数の前記バーの隣り合う２本のバーの間の距離に基づいて形成される前記積分波形の凹曲線の位置に基づいて、前記磁気パターンを所定の文字として認識する磁気パターン認識手段を備えた磁気パターンの認識装置。
【請求項１３】
前記磁気パターン認識手段が、下記の手段を備えることを特徴とする請求項１２に記載の磁気パターンの認識装置。
微分波形からなる前記検出磁気波形を積分した前記積分波形を生成する積分波形生成手段と、
前記積分波形生成手段によって生成した前記積分波形の極小点と前記極小点を挟む２個の極大点とによって形成される前記凹曲線と、２個の前記極大点を結ぶ直線とからなる空間で表される谷を、「深い谷」または「浅い谷」の谷パターンに変換する谷パターン変換手段と、
前記谷パターン変換手段によって変換された前記谷パターンの中の「深い谷」の位置に基づいて、前記磁気パターンを識別する磁気パターン識別手段。
【請求項１４】
前記磁気パターン識別手段が、前記谷パターンが「深い谷」である前記谷の数によって、前記磁気パターンを識別することを特徴とする請求項１３に記載の磁気パターンの認識装置。
【請求項１５】
前記磁気パターン識別手段が、下記の手段を備えることを特徴とする請求項１３または１４に記載の磁気パターンの認識装置。
前記谷の位置を算出する谷位置算出手段と、
前記谷位置算出手段によって算出した前記谷の位置から、前記積分波形の有効領域を算出する有効領域算出手段と、
前記谷位置算出手段によって算出した前記谷の位置から、前記有効領域算出手段によって算出された前記積分波形の有効領域における前記谷の相対位置を算出する谷相対位置算出手段と、
前記谷相対位置算出手段によって算出した前記谷の相対位置から、前記磁気パターンを確定する磁気パターン確定手段。
【請求項１６】
前記有効領域算出手段が、下記の手段を備えることを特徴とする請求項１５に記載の磁気パターンの認識装置。
前記積分波形の両端側の前記「深い谷」の深さと同一の値となる前記積分波形の最端部側位置を算出し、算出した前記最端部側位置を前記積分波形における有効領域の境界点検索開始位置とする境界点検索開始位置算出手段と、
前記境界点検索開始位置算出手段によって算出された前記有効領域の境界点検索開始位置から、前記積分波形の端部方向に前記積分波形における有効領域の前記境界点を検索する有効領域境界点検索手段。
【請求項１７】
前記積分波形における有効領域の前記境界点が、下記の条件を全て満足する、前記境界点検索開始位置に最も近い点であることを特徴とする請求項１６に記載の磁気パターンの認識装置。
（ｉ）前記境界点は、前記境界点検索開始位置算出手段によって算出された前記境界点検索開始位置、または、前記境界点検索開始位置より前記積分波形の端部側位置に存在し、
（ｉ）前記境界点の波高方向の値が、前記境界点検索開始位置算出手段によって算出された前記境界点検索開始位置の波高方向の値以下であり、
（ｉｉｉ）前記境界点の傾きの絶対値が、所定の値以下である。
【請求項１８】
前記積分波形生成手段が、下記の手段を備えることを特徴とする請求項１３に記載の磁気パターンの認識装置。
前記検出磁気波形及び検出条件を取得する磁気パターン検出手段と、
前記磁気パターン検出手段によって取得した前記検出磁気波形から１文字分の前記磁気パターンの検出磁気波形を切り出す磁気パターン切り出し手段。
【請求項１９】
前記磁気パターンを認識するための判定条件を変更できる判定条件変更手段を更に備えることを特徴とする請求項１２に記載の磁気パターンの認識装置。
【請求項２０】
前記磁気パターンは、ＣＭＣ７フォントの磁気インク文字であることを特徴とする請求項１２から１９のいずれか１項に記載の磁気パターンの認識装置。
【請求項２１】
請求項１２から２０のいずれか１項に記載の磁気パターン認識装置の手段を備えることを特徴とする複合処理装置。
【請求項２２】
パルスモータを備えた紙送り手段と、
前記紙送り手段により送られた紙片に印刷する印刷手段と、
前記紙送り手段によって送られた前記紙片に付された磁気パターンを検出する磁気検出手段とを更に備えることを特徴とする請求項２１に記載の複合処理装置。
【手続補正２】
【補正対象書類名】明細書
【補正対象項目名】００１９
【補正方法】変更
【補正の内容】
【００１９】
本発明の磁気パターンの認識方法は、複数のバーによって構成される所定の磁気パターンの検出磁気波形を積分して得られる１文字分の積分波形の有効領域を算出することによって、複数のバーの隣り合う２本のバーの間の距離に基づいて形成される積分波形の凹曲線の位置に基づいて、磁気パターンを所定の文字として認識する磁気パターン認識ステップを備えた磁気パターンの認識方法である。
【手続補正３】
【補正対象書類名】明細書
【補正対象項目名】００２０
【補正方法】変更
【補正の内容】
【００２０】
この場合において、磁気パターン認識ステップが、下記のステップを備えることを特徴とする。
（ａ）微分波形からなる検出磁気波形を積分した積分波形を生成する積分波形生成ステップと、
（ｂ）積分波形生成ステップによって生成した積分波形の極小点と極小点を挟む２個の極大点とによって形成される凹曲線と、２個の極大点を結ぶ直線とからなる空間で表される谷を、「深い谷」または「浅い谷」の谷パターンに変換する谷パターン変換ステップと、
（ｃ）谷パターン変換ステップによって変換された谷パターンの中の「深い谷」の位置に基づいて、磁気パターンを識別する磁気パターン識別ステップ。
【手続補正４】
【補正対象書類名】明細書
【補正対象項目名】００２１
【補正方法】変更
【補正の内容】
【００２１】
また、この場合において、磁気パターン識別ステップ（ｃ）が、谷パターンが「深い谷」である谷の数によって、磁気パターンを識別することを特徴とする。
【手続補正５】
【補正対象書類名】明細書
【補正対象項目名】００２２
【補正方法】変更
【補正の内容】
【００２２】
また、この場合において、磁気パターン識別ステップ（ｃ）が、下記のステップを備えることを特徴とする。
（ｃ１）谷の位置を算出する谷位置算出ステップと、
（ｃ２）谷位置算出ステップによって算出した谷の位置から、積分波形の有効領域を算出する有効領域算出ステップと、
（ｃ３）谷位置算出ステップによって算出した谷の位置から、有効領域算出ステップによって算出された積分波形の有効領域における谷の相対位置を算出する谷相対位置算出ステップと、
（ｃ４）谷相対位置算出ステップによって算出した谷の相対位置から、磁気パターンを確定する磁気パターン確定ステップ。
【手続補正６】
【補正対象書類名】明細書
【補正対象項目名】００２３
【補正方法】変更
【補正の内容】
【００２３】
さらに、有効領域算出ステップ（ｃ２）が、下記のステップを備えることを特徴とする。
（ｃ２１）積分波形の両端側の「深い谷」の深さと同一の値となる積分波形の最端部側位置を算出し、算出した最端部側位置を積分波形における有効領域の境界点検索開始位置とする境界点検索開始位置算出ステップと、
（ｃ２２）境界点検索開始位置算出ステップによって算出された有効領域の境界点検索開始位置から、積分波形の端部方向に積分波形における有効領域の境界点を検索する有効領域境界点検索ステップ。
【手続補正７】
【補正対象書類名】明細書
【補正対象項目名】００２４
【補正方法】変更
【補正の内容】
【００２４】
この場合において、積分波形における有効領域の境界点が、下記の条件を全て満足する、境界点検索開始位置に最も近い点であることを特徴とする。
（ｉ）境界点は、境界点検索開始位置算出ステップによって算出された境界点検索開始位置、または、境界点検索開始位置より積分波形の端部側位置に存在し、
（ｉｉ）境界点の波高方向の値が、境界点検索開始位置算出ステップによって算出された境界点検索開始位置の波高方向の値以下であり、
（ｉｉｉ）境界点の傾きの絶対値が、所定の値以下である。
【手続補正８】
【補正対象書類名】明細書
【補正対象項目名】００２５
【補正方法】変更
【補正の内容】
【００２５】
また、前記積分波形生成ステップ（ａ）が、下記のステップを備えることを特徴とする。
（ａ１）検出磁気波形及び検出条件を取得する磁気パターン検出ステップと、
（ａ２）磁気パターン検出ステップによって取得した検出磁気波形から１文字分の磁気パターンの検出磁気波形を切り出す磁気パターン切り出しステップ。
【手続補正９】
【補正対象書類名】明細書
【補正対象項目名】００２６
【補正方法】変更
【補正の内容】
【００２６】
また、本発明の磁気パターンの認識方法の他の態様は、磁気パターンを認識するための判定条件を変更できる判定条件変更ステップを更に備えることを特徴とする磁気パターンの認識方法である。
【手続補正１０】
【補正対象書類名】明細書
【補正対象項目名】００２７
【補正方法】変更
【補正の内容】
【００２７】
これらの場合において、磁気パターンは、ＣＭＣ７フォントの磁気インク文字であることを特徴とする。
【手続補正１１】
【補正対象書類名】明細書
【補正対象項目名】００２８
【補正方法】変更
【補正の内容】
【００２８】
本発明の情報記録媒体は、上述の磁気パターンの認識方法のステップを実行するプログラムを記録したことを特徴とする。
【手続補正１２】
【補正対象書類名】明細書
【補正対象項目名】００２９
【補正方法】変更
【補正の内容】
【００２９】
また、情報記録媒体として、コンパクト・ディスク、フロッピー・ディスク、ハード・ディスク、光磁気ディスク、ディジタル・ビデオ・ディスク、半導体メモリ、もしくは磁気テープであることを特徴とする。
【手続補正１３】
【補正対象書類名】明細書
【補正対象項目名】００３０
【補正方法】変更
【補正の内容】
【００３０】
本発明の磁気パターンの認識装置は、複数のバーによって構成される所定の磁気パターンの検出磁気波形を積分して得られる１文字分の積分波形の有効領域を算出することによって、複数のバーの隣り合う２本のバーの間の距離に基づいて形成される積分波形の凹曲線の位置に基づいて、磁気パターンを所定の文字として認識する磁気パターン認識手段を備えた磁気パターンの認識装置である。
【手続補正１４】
【補正対象書類名】明細書
【補正対象項目名】００３１
【補正方法】変更
【補正の内容】
【００３１】
この場合において、磁気パターン認識手段が、下記の手段を備えることを特徴とする。
微分波形からなる検出磁気波形を積分した積分波形を生成する積分波形生成手段と、
積分波形生成手段によって生成した積分波形の極小点と極小点を挟む２個の極大点とによって形成される凹曲線と、２個の極大点を結ぶ直線とからなる空間で表される谷を、「深い谷」または「浅い谷」の谷パターンに変換する谷パターン変換手段と、
谷パターン変換手段によって変換された谷パターンの中の「深い谷」の位置に基づいて、磁気パターンを識別する磁気パターン識別手段。
【手続補正１５】
【補正対象書類名】明細書
【補正対象項目名】００３２
【補正方法】変更
【補正の内容】
【００３２】
また、この場合において、磁気パターン識別手段が、谷パターンが「深い谷」である谷の数によって、磁気パターンを識別することを特徴とする。
【手続補正１６】
【補正対象書類名】明細書
【補正対象項目名】００３３
【補正方法】変更
【補正の内容】
【００３３】
また、この場合において、磁気パターン識別手段が、下記の手段を備えることを特徴とする。
谷の位置を算出する谷位置算出手段と、
谷位置算出手段によって算出した谷の位置から、積分波形の有効領域を算出する有効領域算出手段と、
谷位置算出手段によって算出した谷の位置から、有効領域算出手段によって算出された積分波形の有効領域における谷の相対位置を算出する谷相対位置算出手段と、
谷相対位置算出手段によって算出した谷の相対位置から、磁気パターンを確定する磁気パターン確定手段。
【手続補正１７】
【補正対象書類名】明細書
【補正対象項目名】００３４
【補正方法】変更
【補正の内容】
【００３４】
さらに、有効領域算出手段が、下記の手段を備えることを特徴とする。
積分波形の両端側の「深い谷」の深さと同一の値となる積分波形の最端部側位置を算出し、算出した最端部側位置を積分波形における有効領域の境界点検索開始位置とする境界点検索開始位置算出手段と、
境界点検索開始位置算出手段によって算出された有効領域の境界点検索開始位置から、積分波形の端部方向に積分波形における有効領域の境界点を検索する有効領域境界点検索手段。
【手続補正１８】
【補正対象書類名】明細書
【補正対象項目名】００３５
【補正方法】変更
【補正の内容】
【００３５】
この場合において、積分波形における有効領域の境界点が、下記の条件を全て満足する、境界点検索開始位置に最も近い点であることを特徴とする。
（ｉ）境界点は、境界点検索開始位置算出手段によって算出された境界点検索開始位置、または、境界点検索開始位置より積分波形の端部側位置に存在し、
（ｉｉ）境界点の波高方向の値が、境界点検索開始位置算出手段によって算出された境界点検索開始位置の波高方向の値以下であり、
（ｉｉｉ）境界点の傾きの絶対値が、所定の値以下である。
【手続補正１９】
【補正対象書類名】明細書
【補正対象項目名】００３６
【補正方法】変更
【補正の内容】
【００３６】
また、前記積分波形生成手段が、下記の手段を備えることを特徴とする。
検出磁気波形及び検出条件を取得する磁気パターン検出手段と、
磁気パターン検出手段によって取得した検出磁気波形から１文字分の磁気パターンの検出磁気波形を切り出す磁気パターン切り出し手段。
【手続補正２０】
【補正対象書類名】明細書
【補正対象項目名】００３７
【補正方法】変更
【補正の内容】
【００３７】
また、本発明の磁気パターンの認識装置の他の態様は、磁気パターンを認識するための判定条件を変更できる判定条件変更手段を更に備えることを特徴とする磁気パターンの認識装置である。
【手続補正２１】
【補正対象書類名】明細書
【補正対象項目名】００３８
【補正方法】変更
【補正の内容】
【００３８】
これらの場合において、磁気パターンは、ＣＭＣ７フォントの磁気インク文字であることを特徴とする。
【手続補正２２】
【補正対象書類名】明細書
【補正対象項目名】００３９
【補正方法】変更
【補正の内容】
【００３９】
本発明の複合処理装置は、上述の磁気パターン認識装置の手段を備えることを特徴とする。
【手続補正２３】
【補正対象書類名】明細書
【補正対象項目名】００４０
【補正方法】変更
【補正の内容】
【００４０】
また、パルスモータを備えた紙送り手段と、紙送り手段により送られた紙片に印刷する印刷手段と、紙送り手段によって送られた紙片に付された磁気パターンを検出する磁気検出手段とを更に備えることを特徴とする。
【手続補正２４】
【補正対象書類名】明細書
【補正対象項目名】００６７
【補正方法】削除
【補正の内容】
【手続補正２５】
【補正対象書類名】明細書
【補正対象項目名】００６８
【補正方法】削除
【補正の内容】
【手続補正２６】
【補正対象書類名】明細書
【補正対象項目名】００６９
【補正方法】削除
【補正の内容】
【手続補正２７】
【補正対象書類名】明細書
【補正対象項目名】００７０
【補正方法】削除
【補正の内容】
【手続補正２８】
【補正対象書類名】明細書
【補正対象項目名】００７１
【補正方法】削除
【補正の内容】
【手続補正２９】
【補正対象書類名】明細書
【補正対象項目名】００７２
【補正方法】変更
【補正の内容】
【００７２】
本発明の磁気パターンの認識方法について、図を参照しながら以下に詳細に説明する。図４は、複合処理装置における文字認識処理のフローチャート図である。
【手続補正３０】
【補正対象書類名】明細書
【補正対象項目名】００９１
【補正方法】削除
【補正の内容】
【手続補正３１】
【補正対象書類名】明細書
【補正対象項目名】００９２
【補正方法】削除
【補正の内容】
【手続補正３２】
【補正対象書類名】明細書
【補正対象項目名】００９３
【補正方法】変更
【補正の内容】
【００９３】
次に、磁気パターン識別処理について、図を参照しながら詳細に説明する。図５は、文字認識処理における磁気パターン識別処理のフローチャート図である。
【手続補正３３】
【補正対象書類名】明細書
【補正対象項目名】０１０９
【補正方法】削除
【補正の内容】
【手続補正３４】
【補正対象書類名】明細書
【補正対象項目名】０１１０
【補正方法】削除
【補正の内容】
【手続補正３５】
【補正対象書類名】明細書
【補正対象項目名】０１２３
【補正方法】削除
【補正の内容】
【手続補正３６】
【補正対象書類名】明細書
【補正対象項目名】０１２４
【補正方法】削除
【補正の内容】
【手続補正３７】
【補正対象書類名】明細書
【補正対象項目名】０１２５
【補正方法】削除
【補正の内容】
【手続補正３８】
【補正対象書類名】明細書
【補正対象項目名】０１２６
【補正方法】削除
【補正の内容】
【手続補正３９】
【補正対象書類名】明細書
【補正対象項目名】０１２７
【補正方法】削除
【補正の内容】
【手続補正４０】
【補正対象書類名】明細書
【補正対象項目名】０１２８
【補正方法】削除
【補正の内容】
【手続補正４１】
【補正対象書類名】明細書
【補正対象項目名】０１２９
【補正方法】削除
【補正の内容】
【手続補正４２】
【補正対象書類名】明細書
【補正対象項目名】０１３０
【補正方法】削除
【補正の内容】
【手続補正４３】
【補正対象書類名】明細書
【補正対象項目名】０１３１
【補正方法】削除
【補正の内容】
【手続補正４４】
【補正対象書類名】明細書
【補正対象項目名】０１３２
【補正方法】削除
【補正の内容】
【手続補正４５】
【補正対象書類名】明細書
【補正対象項目名】０１３３
【補正方法】削除
【補正の内容】